(57)【要約】【課題】プロジェクタにおいて、光源を適切に冷却しつつ、映像を形成するための部材も適切に冷却し、製造コストも低減可能にする。【解決手段】プロジェクタ１は、ランプボックス１２に収納された放電灯等の光源１１を備えている。光源１１は、カラーホイール１３や光トンネル１５等が搭載された光学エンジン１００の下方に配置されたブロアファン３０ｂからダクト部材３２を通して送られた冷却風により冷却される。ブロアファン３０ｂが吸入する空気は、光学エンジン１００の上方から、カラーホイール１３や光トンネル１５等が配置されている部位を通過するので、カラーホイール１３や光トンネル１５が冷却される。また、ダクト部材３２には冷却口３４が形成されており、ランプボックス１２に送られる冷却風の一部を用いてカラーホイール１３が冷却される。別のファン等を設けることなく、光源１１と共に光学エンジン１００を冷却可能である。【選択図】図３
2007316319.tif 000002
【特許請求の範囲】
【請求項１】
筐体と、
前記筐体内部の前方に収納された箱体状のランプボックスで覆われた状態で配置されている光源と、
前記ランプボックスの外部の、前記光源から出射されて集光された光の光路上に設けられ、三原色に相当するカラーフィルタが所定角度ピッチで形成され、一定速度で回転するカラーホイールと、
前記カラーホイールを透過した光束の光路上に設けられ、その光束を所定の方向に向けて透過させる光トンネルと、
前記光トンネルを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に拡大投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
前記筐体内部で冷却風を発生させる冷却部とを備え、
前記カラーホイール、光トンネル、及びＤＭＤは、前記筐体にねじを用いて固定される光学エンジンに共に搭載されており、
前記冷却部は、前記筐体のうち前記光学エンジンが固定される部位の近傍に配置され、前記筐体内部の空気を前記ランプボックス内に吹き込み、前記光源を冷却するブロアファンを有しているプロジェクタにおいて、
前記筐体の底面には、上方に向け突設された位置決め突起が設けられており、
前記ブロアファンは、
前記光学エンジンの前記カラーホイール及び光トンネルが搭載されている部位の下方近傍の所定部位において、前記筐体の底面から所定距離離れるように略水平方向に配置され、その上下方向から空気を吸入し側方から排出するブロア本体と、
前記ブロア本体のうち少なくとも空気が排出される部位の上方および下方をそれぞれカバーし、互いに係合する係合部をそれぞれ有する上カバー及び下カバーとで構成されており、このブロア本体から排出される気流を前記ランプボックス内に流入させるダクトを構成するダクト部材とを有しており、
前記ブロア本体またはダクト部材の下面には、前記位置決め突起が嵌入される位置決め孔部が形成されており、
前記ブロアファンは、前記所定部位に、前記位置決め突起が前記位置決め孔部に嵌入されてその筐体に対して位置決めされた状態で、その上方から、前記光学エンジンが、ブロアファンと共締めされるようにねじを用いて前記筐体に取り付けられることにより、前記光学エンジンと前記筐体の前記位置決め突起が設けられている部位との間で挟まれるようにして固定されており、
前記上カバーには、前記ダクト内の気流の一部を前記カラーホイールに向け排出させるように形成された冷却口が設けられており、
それにより、光源を適切に冷却しつつ、前記ブロア本体によりその上方から吸入される空気による前記光学エンジンの前記カラーホイール及び光トンネルが搭載されている部位の冷却効果と、前記ホイール冷却口から排出される気流による前記カラーホイールの冷却効果とを得ることができ、かつ、ブロアファンを固定する作業が煩雑ではなく、製造コストを低減可能に構成されていることを特徴とするプロジェクタ。
【請求項２】
筐体と、
周囲に光を放射する発光部と、前記発光部から放射された光を所定の方向に集光するための反射面を構成するリフレクタとを有する光源と、
前記光源から出射された光を用いて、外部から入力された映像信号に応じてスクリーン上に投影する光束を出射する光学エンジンと、
前記光学エンジンから出射された光束をスクリーン上に投影する投影レンズと、
前記光源及び光学エンジンを含むプロジェクタ全体を制御する制御回路と、
前記制御回路を含むプロジェクタ各部に電力を供給するための電源回路と、
前記筐体内部で冷却風を発生させる冷却部とを備え、
前記冷却部は、前記筐体のうち前記光学エンジンが固定される部位の近傍に配置され、前記光源を冷却するブロアファンを有しているプロジェクタにおいて、
前記ブロアファンは、
前記筐体内部の空気を吸入し、冷却風として排出するブロア本体と、
前記ブロア本体から排出される冷却風を前記光源に吹き付けるためにガイドするダクト部とを有しており、
前記光学エンジンは、前記ブロア本体に吸入される空気の気流により冷却されるように構成されていることを特徴とするプロジェクタ。
【請求項３】
前記ダクト部には、前記ダクト内を流れる冷却風の一部を前記光学エンジンに向けて排出させるように形成された冷却口が設けられていることを特徴とする請求項２に記載のプロジェクタ。
【請求項４】
前記筐体の前記ブロアファンが配置される部位には、前記ブロアファンの位置を位置決めする位置決め部が形成されており、
前記ブロアファンは、前記ブロアファンが前記位置決め部により位置決めされた状態で前記光学エンジンが前記筐体に取り付けられることにより、前記光学エンジンと前記筐体との間で挟まれるようにして固定されていることを特徴とする請求項２または請求項３に記載のプロジェクタ。
【発明の詳細な説明】
【技術分野】
【０００１】
本発明は、前方に配置されたスクリーン上に映像を投影するプロジェクタに関する。
【背景技術】
【０００２】
従来より、例えばパーソナルコンピュータ等から出力される映像信号に基づいて、前方のスクリーンに映像を投影するプロジェクタにおいては、例えば放電ランプ等の光源が用いられている。このような光源の発光部は、発光に伴って熱を発生するので、高温になりすぎず適切な温度に保たれるように、例えばブロアファン等による冷却風により冷却される。また、光源から放射される光によりプロジェクタの動作時に高温になりやすい、例えばカラーホイール等の部材は、換気ファン等がプロジェクタの筐体内部に流入させる冷却風により冷却される。
【０００３】
このようなプロジェクタとしては、例えば、特許文献１や特許文献２に記載されているようなものがある。特許文献１には、不要な光を光学ハウジングの外に誘導して光学エンジンのハウジングの温度上昇を抑制するプロジェクタが記載されている。また、特許文献２には、冷却風をプロジェクタの外部に排気する排気ダクトを断熱材料または高熱伝導性の材料で形成したプロジェクタが記載されている。
【０００４】
ところで、カラーホイール等の部材を確実に冷却するためには、これらの部材に当たる冷却風の風量を多くしなければならない。冷却風の風量を多くするために、ファンの数を多くしたりすることも考えられるが、製造コストが増加してしまい、また、プロジェクタが大型化してしまう。そのため、ファンの数をそのままに冷却風の風量を増やすには、換気ファンまたはブロアファンの回転数を増大させるか、それらを大型化しなければならない。これらのファンの回転数を増大させると、プロジェクタの消費電力が増大してしまい、ファンの動作音や風切り音が大きくなり、プロジェクタの動作時の騒音が増大してしまう。また、ブロアファンの回転数を増大させると、光源の温度が下がりすぎ、光源の寿命が短くなってしまう。一方で、換気ファンやブロアファンの大型化は、特に小型のプロジェクタにおいて容易に行うことはできない。すなわち、プロジェクタの小型化や動作時の騒音低減化等と並行して、光源を適切に冷却しつつ、カラーホイール等の映像を形成するための部材も適切に冷却可能にすることは困難である。
【０００５】
また、従来のプロジェクタには、上述とは別の問題点もある。すなわち、従来のプロジェクタにおいて光源を冷却するために設けられるブロアファンは、筐体に、ねじ等を利用して取り付けられている。そのため、特に、ブロアファンが、カラーホイールやＤＭＤ（デジタルマイクロミラーデバイス）等をユニット化した光学エンジンの近傍に配置される場合等には、ブロアファンをねじを用いて筐体に取り付けた後に光学エンジンを筐体に取り付ける作業等が必要であり、ねじを多く用いるのでプロジェクタの組立作業が煩雑になり、製造コストを低減することができない。
【０００６】
なお、特許文献３には、冷却ファンによる冷却風の風量を高温部の温度に応じて配分する複数の流路光学系を設けることにより、光学系を少ない風量で十分に冷却可能にしたプロジェクタが記載されている。しかしながら、この特許文献３に記載のプロジェクタは、光源を冷却するためのブロアファンのほかに、光学系を冷却するための、複数のファンを搭載した冷却ユニットを用いるものであり、構造が複雑で部品点数も多いものである。また、特許文献１に記載されているプロジェクタも、光を誘導するための部材や熱変換部材が必要となり構造も複雑なものである。そしてまた、特許文献２に記載されているプロジェクタは、冷却風の温度上昇を防止するものである。すなわち、これらの特許文献１乃至特許文献３には、上述の問題点に対する有効な解決策は開示されていない。
【特許文献１】特開２００４−２１２７２７号公報
【特許文献２】特開２００２−３１８５１号公報
【特許文献３】特開２００３−５２９３号公報
【発明の開示】
【発明が解決しようとする課題】
【０００７】
本発明は、上記問題点を鑑みてなされたものであり、光源を適切に冷却しつつ、映像を形成するための部材も適切に冷却可能であり、製造コストを低減可能なプロジェクタを提供することを目的とする。
【課題を解決するための手段】
【０００８】
上記目的を達成するため請求項１の発明は、筐体と、前記筐体内部の前方に収納された箱体状のランプボックスで覆われた状態で配置されている光源と、前記ランプボックスの外部の、前記光源から出射されて集光された光の光路上に設けられ、三原色に相当するカラーフィルタが所定角度ピッチで形成され、一定速度で回転するカラーホイールと、前記カラーホイールを透過した光束の光路上に設けられ、その光束を所定の方向に向けて透過させる光トンネルと、前記光トンネルを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に拡大投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、前記筐体内部で冷却風を発生させる冷却部とを備え、前記カラーホイール、光トンネル、及びＤＭＤは、前記筐体にねじを用いて固定される光学エンジンに共に搭載されており、前記冷却部は、前記筐体のうち前記光学エンジンが固定される部位の近傍に配置され、前記筐体内部の空気を前記ランプボックス内に吹き込み、前記光源を冷却するブロアファンを有しているプロジェクタにおいて、前記筐体の底面には、上方に向け突設された位置決め突起が設けられており、前記ブロアファンは、前記光学エンジンの前記カラーホイール及び光トンネルが搭載されている部位の下方近傍の所定部位において、前記筐体の底面から所定距離離れるように略水平方向に配置され、その上下方向から空気を吸入し側方から排出するブロア本体と、前記ブロア本体のうち少なくとも空気が排出される部位の上方および下方をそれぞれカバーし、互いに係合する係合部をそれぞれ有する上カバー及び下カバーとで構成されており、このブロア本体から排出される気流を前記ランプボックス内に流入させるダクトを構成するダクト部材とを有しており、前記ブロア本体またはダクト部材の下面には、前記位置決め突起が嵌入される位置決め孔部が形成されており、前記ブロアファンは、前記所定部位に、前記位置決め突起が前記位置決め孔部に嵌入されてその筐体に対して位置決めされた状態で、その上方から、前記光学エンジンが、ブロアファンと共締めされるようにねじを用いて前記筐体に取り付けられることにより、前記光学エンジンと前記筐体の前記位置決め突起が設けられている部位との間で挟まれるようにして固定されており、前記上カバーには、前記ダクト内の気流の一部を前記カラーホイールに向け排出させるように形成された冷却口が設けられており、それにより、光源を適切に冷却しつつ、前記ブロア本体によりその上方から吸入される空気による前記光学エンジンの前記カラーホイール及び光トンネルが搭載されている部位の冷却効果と、前記ホイール冷却口から排出される気流による前記カラーホイールの冷却効果とを得ることができ、かつ、ブロアファンを固定する作業が煩雑ではなく、製造コストを低減可能に構成されているものである。
【０００９】
請求項２の発明は、筐体と、周囲に光を放射する発光部と、前記発光部から放射された光を所定の方向に集光するための反射面を構成するリフレクタとを有する光源と、前記光源から出射された光を用いて、外部から入力された映像信号に応じてスクリーン上に投影する光束を出射する光学エンジンと、前記光学エンジンから出射された光束をスクリーン上に投影する投影レンズと、前記光源及び光学エンジンを含むプロジェクタ全体を制御する制御回路と、前記制御回路を含むプロジェクタ各部に電力を供給するための電源回路と、前記筐体内部で冷却風を発生させる冷却部とを備え、前記冷却部は、前記筐体のうち前記光学エンジンが固定される部位の近傍に配置され、前記光源を冷却するブロアファンを有しているプロジェクタにおいて、前記ブロアファンは、前記筐体内部の空気を吸入し、冷却風として排出するブロア本体と、前記ブロア本体から排出される冷却風を前記光源に吹き付けるためにガイドするダクト部とを有しており、前記光学エンジンは、前記ブロア本体に吸入される空気の気流により冷却されるように構成されているものである。
【００１０】
請求項３の発明は、請求項２の発明において、前記ダクト部には、前記ダクト内を流れる冷却風の一部を前記光学エンジンに向けて排出させるように形成された冷却口が設けられているものである。
【００１１】
請求項４の発明は、請求項２又は請求項３の発明において、前記筐体の前記ブロアファンが配置される部位には、前記ブロアファンの位置を位置決めする位置決め部が形成されており、前記ブロアファンは、前記ブロアファンが前記位置決め部により位置決めされた状態で前記光学エンジンが前記筐体に取り付けられることにより、前記光学エンジンと前記筐体との間で挟まれるようにして固定されているものである。
【発明の効果】
【００１２】
請求項１の発明によれば、光学エンジンのカラーホイール及び光トンネルが搭載されている部位がブロア本体に吸入される空気の気流により冷却されるので、他のファン等による冷却風の風量を増大させることなく、カラーホイールや光トンネル等、映像を形成するための部材を冷却可能になる。従って、プロジェクタの消費電力や動作時の騒音等が増大することなく、光源と共に映像を形成するための部材も適切に冷却することが可能になる。また、上カバーには、冷却口が設けられており、この冷却口からカラーホイールに向けてダクト内の気流の一部が排出されるので、光源を冷却するためのブロアファンを用いて、より効果的にカラーホイールを冷却することが可能である。そして、光学エンジンを冷却するために別のファンや部材を追加する必要がないので、製造コストが増大することがなく、プロジェクタを安価にすることができる。
【００１３】
さらに、ブロアファンは、筐体の位置決め突起が位置決め孔部に嵌入されて位置決めされた状態で配置され、ねじを用いて光学エンジンと共締めされて、光学エンジンと筐体との間に挟まれた状態で固定されているので、ブロアファンを取り付けるためにねじ等を用いる必要がなくなる。従って、プロジェクタの部品点数が少なくなり、また、プロジェクタの組立作業を簡易に行うことが可能になり、プロジェクタの製造コストを低減してさらに安価にすることが可能になる。
【００１４】
請求項２の発明によれば、光学エンジンがブロア本体に吸入される空気の気流により冷却されるので、他のファン等による冷却風の風量を増大させることなく、光学エンジンを冷却可能になる。従って、プロジェクタの消費電力や動作時の騒音等が増大することなく、光源と共に映像を形成するための部材も適切に冷却することが可能になる。また、光学エンジンを冷却するために別のファンや部材を追加する必要がないので、製造コストが増大することがなく、プロジェクタを安価にすることができる。
【００１５】
請求項３の発明によれば、ダクト部に形成されている冷却口から光学エンジンに向けて冷却風の一部が排出される。従って、上述と同様に、別のファンや部材を追加したり、プロジェクタの動作時の騒音等を増大させることなく、光源を冷却するためのブロアファンを用いて、光学エンジンをより効率良く冷却することが可能である。
【００１６】
請求項４の発明によれば、ブロアファンは、筐体の位置決め部に位置決めされた状態で光学エンジンと筐体との間に挟まれることにより固定されているので、ブロアファンを取り付けるためにねじ等を用いる必要がなくなる。従って、部品点数が少なくなり、また、プロジェクタの組立作業を簡易に行うことが可能になり、プロジェクタの製造コストを低減してさらに安価にすることが可能になる。
【発明を実施するための最良の形態】
【００１７】
以下、本発明の一実施形態について図面を参照しつつ説明する。図１は、本発明に係るプロジェクタの一例を示し、図２は、プロジェクタ１の回路構成を示す。このプロジェクタ１は、パーソナルコンピュータやビデオカメラ等から入力された映像信号（画像データ）を用いて映像を形成し、前方に設けられたスクリーンに拡大投影する装置である。図１に示すように、プロジェクタ１は、おおまかに、筐体２の前方側に配置され、外部から入力された映像信号を用いて映像を形成し、前方のスクリーンに拡大投影する映像形成部１０と、筐体２の後方側に配置され、外部から入力された映像信号を処理して映像形成部１０を制御する制御部２０とを備えている。
【００１８】
図１に示すように、映像形成部１０は、例えば放電ランプ等の光源１１と、光源１１から出射された光の光路上に設けられ、三原色に相当するカラーフィルタが所定角度ピッチで形成され、一定速度で回転するカラーホイール１３と、カラーホイール１３を一定速度で回転させるモータ１４と、カラーホイール１３を挟んで光源に対向するように設けられ、所定の内径を有する光トンネル１５と、光トンネルを透過した光束を所定方向に反射するミラー１６と、光トンネル１５及びミラー１６を介して、カラーホイール１３を透過した光束の光路上に設けられ、二次限的に配列された微小ミラーの集合体であって、外部から入力された映像信号に応じて微小ミラーの角度を変化させ、カラーホイール１３を透過した光束を所定方向（第１の方向）と所定方向以外の第２の方向に反射させるＤＭＤ（デジタルマイクロミラーデバイス）１７と、ＤＭＤ１７に対して第１の方向に配置され、ＤＭＤ１７により反射された光束をスクリーン上に投影する投影レンズ１８等で構成されている。本実施形態において、カラーホイール１３、光トンネル１５、ミラー１６、及びＤＭＤ１７は、例えばキャスティングにより形成された金属部材であり、筐体２に後述のようにねじを用いて固定される光学エンジン１００に共に搭載されている。
【００１９】
光源１１は、周囲に光を放射するバーナ１１ａと、バーナ１１ａから出射された光のうち後方に出射された光を前方に反射させると共に、所定の領域に集光させるリフレクタ１１ｂとを有している。光源１１は、図に示すように、筐体２の内部の前方に収納された箱体状のランプボックス１２に覆われており、光源ユニットとして独立したユニットとして構成されている。図中、光トンネル１５よりも左側は、迷光の影響を少なくするための暗箱ユニット１１０として形成され、暗箱ユニット１１０の内面は、反射光を吸収するように反射防止塗料が塗布されている。なお、図１において、筐体２の内部を映像形成部１０側と制御部２０側を仕切るように描かれている仕切り板４は、実際にこのような仕切り板４が存在するのではなく、上記光源ユニット及び暗箱ユニット１１０の筐体の壁を概略的に描いたものである。
【００２０】
リフレクタ１１ｂは、例えば回転楕円面状に形成されており、バーナ１１ａがその回転楕円面の一方の焦点近傍に配置され、カラーホイール１３の一部が回転楕円面の他方の焦点近傍に位置するように配置されている。リフレクタ１１ｂは、例えばガラス製であって、バーナ１１ａが設けられている側に、鏡面の反射面が形成され、その裏面には、リフレクタ１１ｂの割れ対策としてフッ素樹脂等のコーティング膜が形成されている。
【００２１】
一方、制御部２０は、映像信号を用いてＤＭＤ１７を駆動するＤＭＤ駆動回路（制御回路）２１と、プロジェクタ１の全体を制御する全体制御回路（制御回路）２２と、光源１１を駆動する光源駆動回路（制御回路）２３と、ＤＭＤ駆動回路２１、全体制御回路２２及び光源駆動回路２３を含むプロジェクタ１の各部に電力を供給するための電源回路２４と、少なくとも光源１１及び電源回路２４を冷却するための冷却風を発生させる冷却ファン（冷却部）３を有している。ＤＭＤ駆動回路２１及び全体制御回路２２は、例えばＣＰＵ、ＲＯＭ、ＲＡＭ等で構成されている。また、必要に応じて、ノイズ除去フィルタ等も設けられている。光源駆動回路２３は、放電ランプ等の光源１１を電力が一定となるように制御するためのインバータ回路であり、コイル、ダイオード、ＦＥＴ等で構成されている。放電ランプは、点灯開始直後、その温度が低く、電圧が低いため、電力が一定になるように制御すると大電流がランプに流れてしまい、ランプ寿命が低下するという問題を有している。そのため、光源駆動回路２３は、ランプ点灯開始から一定時間、ランプに流れる電流を制限するウオーミングアップ動作を行う。電源回路２４は、例えば１００Ｖや２００Ｖ等の交流商用電源を入力として、例えば１２Ｖや２４Ｖ等の直流電圧電源を発生させる回路であり、コイル、ダイオード、ＦＥＴ等で構成されている。
【００２２】
本実施形態において、プロジェクタ１は、冷却ファン（冷却部）３０として、換気ファン３０ａとブロアファン３０ｂとを有している。図１に示すように、換気ファン３０ａは、筐体２の外部から筐体２の内部に空気を取り入れて、光源１１、光源駆動回路２３、電源回路２４等の熱源から発生される熱を吸収し、温度が上昇した熱風を筐体２の外部に排気させるものである。図１に示す構成では、換気ファン３０ａにより発生された冷却風の一部を映像形成部１０側に導入すると共に、冷却風の残りを制御部２０側に導入している。ブロアファン３０ｂは、ランプボックス１２の傍で、光学エンジン１００の下方の所定部位に配置されている。ブロアファン３０ｂは、後述するように、ブロア本体３１により筐体２の内部の空気を集め、その空気を、ランプボックス１２にその排出口３３が接続されたダクト部材３２を通してランプボックス１２内に吹き込むものである。すなわち、動作時の温度が他の部材と比較して特に高くなる光源１１は、このブロアファン３０ｂにより吹き込まれた冷却風により冷却される。このようにブロアファン３０ｂによりランプボックス１２の内部に吹き込まれた冷却風は、光源１１を冷却した後にランプボックス１２から排気された後、換気ファン３０ａにより筐体２の外部に排気される。なお、図１に示すように、このブロアファン３０ｂのダクト部材３２には、後述するように、ダクト部材３２の内部の気流の一部をカラーホイール１３に向けて排出させる冷却口３４が形成されている。
【００２３】
以下に、図３及び図４（ａ）、（ｂ）を参照して、ブロアファン３０ｂについて説明する。図３は、このプロジェクタ１の映像形成部１０の構成を示す。また、図４（ａ）、（ｂ）は、ブロアファン３０ｂを示す。図３に示すように、ブロアファン３０ｂは、筐体２の下部近傍部位において、光学エンジン１００のカラーホイール１３及び光トンネル１５が搭載されている部位の下方近傍に、筐体２に対し略水平方向に配置されている。ここで、光学エンジン１００のカラーホイール１３及び光トンネル１５が搭載されている部位は、ところどころに貫通孔（図示せず）が配置されており、光学エンジン１００の上面側から下面側へ、又は下面側から上面側へ空気が流れるように構成されている。図４（ａ）、（ｂ）に示すように、ブロアファン３０ｂは、筐体２に配置されたときの姿勢において上下方向から空気を吸入して側方の排出部３１ａからその空気を排出するブロア本体３１と、ブロア本体３１のうち、排出部３１ａの上方及び下方をそれぞれカバーする上カバー３２ａと下カバー３２ｂとで構成されたダクト部材（ダクト部）３２等で構成されている。
【００２４】
ダクト部材３２のうち、上カバー３２ａは、図４（ａ）に示すように、ブロア本体３１の上面のうち空気吸引口（図示せず）を除いた部位を覆うような形状に構成されている。上カバー３２ａは、図４（ｂ）の点線で示すような位置に配置されるカラーホイール１３に対応する位置に小さな開口部である冷却口３４を有しており、後述のようにこのブロアファン３０ｂによりカラーホイール１３も冷却できるように構成されている。上カバー３２ａのブロア本体３１の上面よりも外側となる部位には、２つのねじ孔３２ｄが形成されている。また、上カバー３２ｂのうち、ブロア本体３１の空気吸入口の周囲の一部には、上方にリブ上に突き出した仕切部３２ｆが形成されている。下カバー３２ｂは、図４（ａ）に示すように、ブロア本体３１の下面のうち、排出部３１ａの近傍の部位を覆うような形状に形成されている。本実施形態において、上カバー３２ａ、下カバー３２ｂのそれぞれには、図に示すように、互いに係合する係合部３２ｃと、ブロア本体３１に形成されている取付穴３１ｂに嵌合する保持突起３２ｅが形成されている。そして、図４（ａ）に示すようなブロア本体３１、上カバー３２ａ、及び下カバー３２ｂがばらばらである状態から、上カバー３２ａ及び下カバー３２ｂによりブロア本体３１を挟むようにし、保持突起３２ｅをそれぞれ対応する取付穴３１ｂに嵌合させて、ブロア本体３１に対する上カバー３２ａと下カバー３２ｂの位置を仮固定した状態で、互いの係合部３２ｃを係合することにより、図４（ｂ）に示すように、各部材が一体となったブロアファン３０ｂが構成される。
【００２５】
このブロアファン３０ｂのうち、上カバー３２ａ及び下カバー３２ｂにより形成されたダクト部材３２は、ブロア本体３１の排出部３１ａから排出される冷却風を、図の白抜き矢印Ａ、Ｂでそれぞれ示すように、その先端の排出口３３と、上カバー３２ａに形成されている冷却口３４とからダクト部材３２の外部に排出するように構成されている。本実施形態において、排出口３３は、光源１１が収納されているランプボックス１２の前面に接続されており、ブロアファン３０ｂは、この部位から冷却風をランプボックス１２の内部に流入させ、光源１１を冷却するように構成されている。
【００２６】
ここで、図４（ｂ）に示すように、ブロアファン３０ｂは、筐体２の底面に、上方に向けて突設されている２つのボス２ａと、ブロア本体３１の取付穴（位置決め孔部）３１ｂに嵌入するように形成された位置決め突起（位置決め部）２ｂの上に取り付けられ、筐体２の底面からブロア本体３１の下面までが所定距離だけ離れるように構成されている。すなわち、ブロア本体３１は、その上方及び下方から、図２の黒矢印で示すように、筐体２の内部の空気を吸入するように構成されている。本実施形態において、ボス２ａは、後述のように光学エンジン１００を取り付けるためのねじ穴を有しているものである。
【００２７】
ブロアファン３０ｂを筐体２の内部に固定する組立作業時には、ブロアファン３０ｂは、先ず、ブロアファン３０ｂの２つのねじ孔３２ｄが設けられている部位がそれぞれボス２ａのねじ穴と重なるように配置され、位置決め突起２ｂが取付穴３１ｂに嵌入されることにより、その筐体２に対して位置決めされた状態に配置される。その後、図３に示すように、ブロアファン３０ｂの上方の所定位置に光学エンジン１００が配置され、複数のねじを用いて筐体２に固定される。このとき、光学エンジン１００は、ブロアファン３０ｂを光学エンジン１００と共締めするようにして２本のねじ３８をボス２ａに螺結して固定される。ここで、本実施形態において、光学エンジン１００が筐体２に固定された状態では、ブロアファン３０ｂは、光学エンジン１００と筐体２のボス２ａ及び位置決め突起２ｂとの間で挟まれた状態となっており、このように光学エンジン１００が筐体２に固定されることにより、筐体２に動かないように固定されるように構成されている。なお、このように光学エンジン１００とブロアファン３０ｂとが固定されているとき、上カバー３２ａの仕切部３２ｆは、上述の光学エンジン１００の貫通孔の近傍部位において、例えば光学エンジン１００の下面に当接し、ブロア本体３１の上方から吸入される空気が、光学エンジン１００の下面とブロアファン３０ｂの上面との間の隙間からは流入しにくくなるように構成されている。
【００２８】
このように、本実施形態においては、ブロア本体３１が空気を吸入するとき、その空気は、主に、光学エンジン１００のカラーホイール１３及び光トンネル１５が搭載されている部位から貫通孔等を介してブロア本体３１に吸入される。そのため、光学エンジン１００のカラーホイール１３及び光トンネル１５等が吸入される空気により冷却され、他のファン等による冷却風の風量を増大させることなく、カラーホイール１３や光トンネル１５等、映像を形成するための部材を冷却可能になる。従って、プロジェクタ１の消費電力や動作時の騒音等が増大することなく、光源１１と共に、光学エンジン１００の映像を形成するための部材も適切に冷却することが可能になる。また、上カバー３２ａには、冷却口３４が設けられており、この冷却口３４からカラーホイール１３に向けてダクト部材３２内の気流の一部が排出されるので、光源１１を冷却するためのブロアファン３０ｂを用いて、より効果的にカラーホイール１３を冷却することが可能である。そして、光学エンジン１００を冷却するために別のファンや部材を追加する必要がないので、製造コストが増大することがなく、プロジェクタ１を安価にすることができる。
【００２９】
また、ブロアファン３０ｂは、筐体２の位置決め突起２ｂが、取付穴３１ｂに嵌入されて位置決めされた状態で配置され、ねじ３８を用いて光学エンジン１００と共締めされて、光学エンジン１００と筐体２との間に挟まれた状態で固定されているので、ブロアファン３０ｂを取り付けるためにねじ等を用いる必要がなくなる。従って、プロジェクタ１の部品点数が少なくなり、また、プロジェクタ１の組立作業を簡易に行うことが可能になり、プロジェクタ１の製造コストを低減してさらに安価にすることが可能になる。
【００３０】
なお、本発明は上記実施形態の構成に限定されるものではなく、発明の趣旨を変更しない範囲で適宜に種々の変形が可能である。例えば、光学エンジンは、カラーホイール１３及びＤＭＤ１７を用いて映像を形成するものに限られず、光源１１から出射された光を、３原色別に配置された液晶パネル等に透過させた後に合成することにより映像を形成するようなものであってもよい。すなわち、本発明においては、光源１１の光により高温となる部位に、光源１１を冷却するための冷却風をブロワが吸引する際に生じる気流が当たるように構成することにより、他のファン等による冷却風の風量を増大させたり、別のファン等を追加することなく、その部位を適切に冷却することが可能になり、また、プロジェクタ１を安価にすることが可能になる。
【図面の簡単な説明】
【００３１】
【図１】本発明の一実施形態に係るプロジェクタの構成を示す平面断面図。
【図２】上記プロジェクタの回路構成を示すブロック図。
【図３】上記プロジェクタの映像形成部の構成を示す斜視図。
【図４】（ａ）は上記プロジェクタのブロアファンの構成を示す斜視図、（ｂ）はそのブロアファンを組み立てたときを示す斜視図。
【符号の説明】
【００３２】
１  プロジェクタ
２  筐体
２ｂ  位置決め突起（位置決め部）
１１  光源
１２  ランプボックス
１３  カラーホイール
１５  光トンネル
１７  ＤＭＤ（デジタルマイクロミラーデバイス）
１８  投影レンズ
２０  制御部
２１  ＤＭＤ駆動回路（制御回路）
２２  全体制御回路（制御回路）
２３  光源駆動回路（制御回路）
２４  電源回路
３０  冷却部
３０ｂ  ブロアファン
３１  ブロア本体
３１ｂ  取付穴（位置決め孔部）
３２  ダクト部材（ダクト部）
３２ａ  上カバー
３２ｂ  下カバー
３２ｃ  係合部
３３  排出口
３４  冷却口
１００  光学エンジン
【図１】
2007316319.tif 000003
【図２】
2007316319.tif 000004
【図３】
2007316319.tif 000005
【図４】
2007316319.tif 000006